(57)【要約】      （修正有）【課題】  棒術用の木製棒を安全目的のため素材を変えて、加えて折りたたみ機能を持たせる。  実戦用・練習用の二通りについて考える。【解決手段】  練習用は安全性重視のため、板状材の組み合わせで棒をつくる。そこへ折りたたみ機能を持たせた接合部を中心に設け、二つの部品に分かれるようにする。すなわち、図１でいうと、中心の接合部から見て、左側の板状材他一群と、接合部の左側の部分を合わせて「左側部」、右側の板状材一群と接合部の右側の部分を合わせて「右側部」としたとき、「左側部」と「右側部」が分かれることによって、短い二つの部品に分かれるようになっており、収納・持ち運びに便利なのである。  実戦用は練習用と比較すると、接合部はそのままであるが、板状材の部分が市販の木刀のような、ひと塊の単一素材で出来ている点が異なっている。【選択図】図１
2007185467.tif 000002
【特許請求の範囲】
【請求項１】
練習用の棒は、竹かそれに変わる硬度をもつ板状材を断面多角筒状に組み合わせて出来上がる棒術用の棒であって、少なくともその両端部に外皮をかぶせるとともに、その上に綿材などを巻き付けて固定していることを特徴とする棒術用の棒。
【請求項２】
その棒は二つの短い棒が中間の接続部で繋がれて一本の棒として機能するように出来ている棒。
【請求項３】
中間部分（接続部分）は複数の棒を繋げる役割を果たし、いくつかのボタンを同時に押すことで、簡単に短いパーツとしての二つの棒に分かれるように出来ている棒。
【請求項４】
本発明である実戦用の棒は板状材の組み合わせではなく、木刀のように、ある程度単一な作りの短い棒を部品とし、中間部分の接合部で繋がることで一本の棒として出来ているような棒。
【請求項５】
それぞれ本発明の練習用の棒・実戦用の棒としては、同様に組み上げられるなら、あらゆる素材で出来うる棒も含むとものする。
［発明の名称］棒術用の棒（練習用・実戦用）
【発明の詳細な説明】
【技術分野】
【０００１】  沖縄に限らず全国的に棒術がスポーツとして盛んになってきた。その為、学ぶ年齢層も子供から大人までと幅広い。本発明は棒術に用いる棒を誰でも使えるように携帯用にしたものである。
【背景技術】
【０００２】  棒術に用いる棒はある程度の長さをもつ。大人であれば持ち運びにさほど労することなく道場や目的地への輸送が可能であるが、子供では体格により荷が重い場合がある。また、現在棒術の練習用に使われる棒は木刀のように堅い単一の素材で出来た、細長い、弾性のない固体であり、不慣れな人間も練習のためにその堅い素材に注意しながら棒術を学ばねばならない。防具等をつけてもある程度の負傷を覚悟する必要がある。
【発明の開示】
【発明が解決しようとする課題】
【０００３】  上記のように従来の棒を使っていては持ち運びに不便であるので、それを理由に棒術を習う機会をあきらめたりする可能性も少なくないと思われる。【０００４】  護身用として棒術用の棒（従来の木製棒）を携帯する際、大きな棒をもって外出しすると、護身用の棒が、他者を攻撃する用の棒として不審に映るとも考えられ、必要のない時に短めの部品にしておければいいと思っていた。【０００５】  棒術には、剣道における竹刀のような、弾性を持つ棒を練習に用いない。実戦用の堅い棒を用いて練習する。その為、練習時の怪我が懸念されていた。
【課題を解決するための手段】
【０００６】  上述の目的０００３を達成するために本発明では、二つの短い棒を中間部分の接合部にて繋げ、一本の棒として組み立てる。そのため、持ち運ぶのに便利である。請求項２ではそのことを述べている。【０００７】  ０００４の問題は、折りたたみ装置の部分を従来の棒に適用することで解決される。請求項４で書かれていることである。【０００８】  上述の目的０００５の為に、請求項１で述べたように、板状素材の多角筒状構造により、竹刀同様の弾性力を実現し、思い切った十分な練習ができるようにしている。ただしこの点においては、公知技術として特許文献１を挙げることが出来る。【０００９】
【特許文献１】  特許公開２００３−３０５１４７
【発明の効果】
【００１０】  以上のように作れば、練習用・棒術棒においてはその安全性と携帯に対する利便性を求めることが出来、実戦用・棒術棒においては分解時には「武器である」と他人にいたずらに示して脅かすことを避けることが出来るし、やはり携帯しやすいという利点を持つ。
【発明を実施するための最良の形態】
【００１１】  この発明を図面に基づき説明する。
図１は練習用・棒術棒の外観図である。
中央のＡ．接合部をもってして、両端のＢ．板状素材がＣ．綿材やＤ．ゴム様材でまとめられている。【００１２】  図２は実戦用・棒術棒の外観図である。
中央のＡ．接合部は図１と同じであり、Ｂ、Ｃ、Ｄの板状材及びその他の部品の代わりとして、Ｅ．単一素材をもうけてある。【００１３】  図１から詳細を追っていく。Ｆ１という断面をもうけ、これを図３に示す。
四つの板状材がお互いを支えるように組み合っている断面である。たとえば、図３の板状材をそれぞれ上、右、左、下板状材と呼ぶとする。下板状材に衝撃を与えると左右板状材が側面に広がり、衝撃を軽減するのである。この為、従来の棒術棒よりも格段に安全性が増すと言えよう。【００１４】  図１に戻る。四つの板状材はＢ．綿材によってしっかりとまとめられており、板状材の先端にはＤ．ゴム用材が取り付けてある。これによって、四つの板状材が離ればなれにならないようにするとともに、先端部分で突いても怪我をしないように出来ている。【００１５】  続いて、接合部と板状材の接続について説明していく。
接合部と板状材は図４の様に、接合部の一端が板状材を取り込むように出来ている。
まさにその部分で断面をとると（図１でＦ２と示されている部位）図５のようになる。【００１６】  図５においてＡ．接合部に巻かれるように四つのＢ．板状材があり、その中心にはＧ．軸が設けられており、Ｈ．ビス様材によって固定されている。ビス様材はＡ．接合部、Ｂ．板状材、を貫き、Ｇ．軸にて終わり、四つの部分でこれらをつなぎ止める役割を果たしている。Ａ．接合部のビス貫通部分には少しだけ窪みが入れられており、ビス様材が使用時に手にあたらない様に工夫されている。
Ｇ．軸は、角材の様な固体で出来ており、Ａ．接合部へＢ．板状材が入り込むところにだけさしこんであり、Ａ、Ｂ間の固定に役立っている。Ｇは接合部と板状材の連結部にしか存在せず、それ以外の部分は図３のような空洞になっていることを付記しておく。【００１７】  同様に、図２における断面Ｆ３も図１のＦ２のようにビス様材で固定されており、これを図６に示す。図２である実戦用・棒術棒は、図１の板状材の集合による部位が単一素材による棒になっているため、図６のような断面図になる。空洞でないＥ．単一素材がＡ．接合部に図４における板状材同様に包み込まれており、Ａ．接合部とＥ．単一素材を貫く様にして、Ｈ．ビス様材が固定に使われている。【００１８】  では、本発明品実戦用・棒術棒、練習用・棒術棒ともに共通する接合部を説明していく。接合部を棒術棒の長い方に従って縦断面で割ると外観としては図７の様になる。
Ａ．接合部はＡ−１．接合部（甲）（以下甲）、Ａ−２．接合部（乙）（以下乙）の二つの部品で構成されている。【００１９】  甲はその詳細図を図８に示す。図８にあるように、Ｊ．支柱（大）の左右に合計四つのＩ．支柱（小）があり、接合部（乙）にはこれらの支柱をいれる穴が空いていて、結合を補強するように出来ている。図７において、接合部（甲）が接合部（乙）に合体して見える太線部の結合部位は、このＪ．支柱（大）とその穴である。このような支柱を設けることにより、甲と乙の間における安定性を高めている。【００２０】  図８のＫ．ボタン部はその縦断面を図９に示す。図９は、Ｋ．ボタン部が甲と乙を結ぶ役割を担っていることを説明している図である。図９上の「ボタンの軸」は図１０のように構成されており、指で押す部分より少し広く作ってあるため、これを図１１でみせるような、蓋部をとった接合部（甲）のＵ字型土台に固定することで、バネ様部品（図９に表示）とともに可逆式の引っかけボタンとして機能させることが出来る。【００２１】  図１１はＬ．蓋部、Ｋ．ボタン部、バネ様部品、および蓋部固定のためのネジを取り去った後の接合部（甲）である。この部分を「甲・土台部」と呼ぶものとする。
この「甲・土台部」にはバネ用部品を側面から支えるための「バネ固定土手」と図上に書いてある盛り上がり部や、バネ様部品を中心から支えるための「バネ固定軸」がそなわっている。この二つは図９でも見ることが出来る。【００２２】  Ｌ．蓋部を「甲・土台部」側から見た図を図１２に示す。「出っ張り」とは、図１１のＭ．溝に入れるべくして作られた板状構造が、湾曲した蓋部に取り付けられた物で、左右に三つずつ設けてある。この図における「出っ張り」を図１１における「Ｍ．溝」へ入れることで、蓋部が土台に固定するのを助ける。【００２３】  図１１にて、Ｍ．溝が左右に三つある途中に、蓋部を固定するためのネジ穴である、「蓋接合ネジ穴」がある。図１２にて、「蓋部固定ネジ穴」があり、図１３では「蓋部固定ネジ」がある。これらは図１４のように一直線であり、「蓋部固定ネジ」が「蓋部固定ネジ穴」を通って、「蓋接合ネジ穴」に入ることで蓋の固定をしているのである。【００２４】  本案は以上のような構造である。使用者がこれを持ち運ぶ時は、接合部（甲）と（乙）で分かれた二つの棒を持つことになる。使用するときは、これらを組み合わせ、一本の棒として使用することになる。外すときは（甲）に付いているボタンを上下二つとも押すことで（乙）との切り離しを行うことが出来る。
このようにして、持ち運びに便利な棒術用の棒が出来るのである。
【図面の簡単な説明】
【００２５】
【図１】  本発明の棒術用の棒（練習用）を上から見た図である。
【図２】  本発明の棒術用の棒（実戦用）を上から見た図である。
【図３】  図１におけるＦ１の断面図である。
【図４】  板状材が接合部に侵入しているところの縦断図である。
【図５】  図１におけるＦ２の断面図である。
【図６】  図２におけるＦ３の断面図である。
【図７】  図１の接合部周辺の縦断図である
【図８】  蓋部が取り付けられているときの接合部（甲）の図である
【図９】  図８「Ｋ．ボタン部」周辺の縦断図である。
【図１０】  「Ｋ．ボタン部」を構成しているボタンを上から見た図である。
【図１１】  蓋部を取った接合部（甲）である。
【図１２】  接合部（甲）の蓋部を内側から見ている図である。
【図１３】  接合部（甲）の蓋部を外側から見ている図である。
【図１４】  蓋部と甲・土台部を結合している部分の横断図である。
【図１】
2007185467.tif 000003
【図２】
2007185467.tif 000004
【図３】
2007185467.tif 000005
【図４】
2007185467.tif 000006
【図５】
2007185467.tif 000007
【図６】
2007185467.tif 000008
【図７】
2007185467.tif 000009
【図８】
2007185467.tif 000010
【図９】
2007185467.tif 000011
【図１０】
2007185467.tif 000012
【図１１】
2007185467.tif 000013
【図１２】
2007185467.tif 000014
【図１３】
2007185467.tif 000015
【図１４】
2007185467.tif 000016